(57)【特許請求の範囲】
【請求項１】
アンプに、スピーカ駆動スイッチを介して、スピーカが接続され、
アンプとスピーカ駆動スイッチの接続点に、ヘッドフォン用出力端子が接続され、
該出力端子に、ヘッドフォンの入力端子が断続自在とされ、
アンプのヒートシンクを冷却するファンと、ファン駆動回路が備えられたものにおいて、
該ファン駆動回路が、
電源から該ヘッドフォン用出力端子を介して該ファンへ給電する給電経路と、
該給電経路において、該電源から該ファンへの給電を許容又は阻止するスイッチ手段と、
該アンプの出力信号のレベルが設定レベル以上になった時にのみ、該スイッチ手段をオン操作して該ファンへの給電を許容する信号レベル検出回路と、
該ヘッドフォン用出力端子に含まれ、該ファンへの給電を許容または阻止するファン駆動スイッチと、
該ヘッドフォン用出力端子に含まれ、該ヘッドフォン用出力端子に対する、該ヘッドフォンの入力端子の接続操作に連動して、該スピーカ駆動スイッチ及び該ファン駆動スイッチをオフ操作すると共に、該ヘッドフォン用出力端子に対する、該ヘッドフォンの入力端子の遮断操作に連動して、該スピーカ駆動スイッチ及び該ファン駆動スイッチをオン操作する連動手段とを備え、
該ヘッドフォン用出力端子に対して該ヘッドフォンの入力端子が接続操作された場合、該連動手段によって該ファン駆動スイッチがオフ操作されることで、該アンプの出力信号のレベルに拘わらず該ファンへの給電が阻止され、
該ヘッドフォン用出力端子に対して該ヘッドフォンの入力端子が遮断操作された場合、該連動手段によって該ファン駆動スイッチがオン操作されることで該ファンへの給電が許容され、該アンプの出力信号のレベルが設定レベル以上になったときに、該信号レベル検出回路が該スイッチ手段をオン操作してファンへの給電を許容し、該信号レベル検出回路が該アンプの出力信号のレベルが設定レベル以上でないときに、該スイッチ手段をオフ操作してファンへの給電を阻止する、オーディオ再生装置における冷却装置。
【請求項２】
前記連動手段が、
スピーカ駆動スイッチを操作するスピーカ駆動スイッチ用連動手段と、
ファン駆動スイッチを操作するファン駆動スイッチ用連動手段とを有する請求項１に記載のオーディオ再生装置における冷却装置。
【発明の詳細な説明】
【０００１】
【発明の属する技術分野】
本発明はオーディオ再生装置における冷却装置に関する。
【０００２】
【従来の技術】
オーディオ再生装置では、音楽等を再生するアンプの出力が大である程、再生能力に優れ、余裕を持って、スピーカを駆動できる利点があるが、アンプの発熱が大となるため、アンプのヒートシンク等が大型となり、オーディオ再生装置が大型化する問題がある。
【０００３】
これを解決するために、最近では、アンプのヒートシンクを冷却するファンが装備されたものがある。このものでは、アンプの出力を大としても、ヒートシンクを小型化でき、オーディオ再生装置を小型化できる利点があるが、ファンの騒音が問題となり、特に、繊細な音楽再生時には、大きな問題となる。
【０００４】
この問題を解決するために、ヒートシンクの温度（熱）を検出して、温度が低いときに、ファンを停止する方法や、アンプの出力信号のレベルを検出して、信号レベルが設定レベル以下のときに、ファンを停止する方法等が提案されている。
【０００５】
しかし、前者の方法では、温度検出の時間遅れが非常に大きく、大音量再生後、小音量となっても、かなりの時間、ファンが駆動されるため、ファンの騒音が気になる問題があった。
これに対し、後者の方法では、スピーカでなく、ヘッドフォンのみを使用した場合には、アンプの出力信号のレベルが大きくなって、信号レベル検出回路の設定レベル以上になった際でも、ヘッドフォンのスピーカ（負荷）に対して抵抗が直列に接続されて、インピーダンスが大きいことから、アンプの出力電流は小さく、アンプの発熱は殆どないが、上記の際に、ファンが駆動されて、静寂が破られるとの問題があった。
【０００６】
【発明が解決しようとする課題】
本発明は、上記問題を解決できるオーディオ再生装置における冷却装置を提供することを目的とする。
【０００７】
【課題を解決するための手段】
上記目的を達成するために、本発明の特徴とするところは、アンプに、スピーカ駆動スイッチを介して、スピーカが接続され、アンプとスピーカ駆動スイッチの接続点に、ヘッドフォン用出力端子が接続され、該出力端子に、ヘッドフォンの入力端子が断続自在とされ、アンプのヒートシンクを冷却するファンと、ファン駆動回路が備えられたものにおいて、ファン駆動回路に、ファン駆動スイッチが備えられ、・  ヘッドフォン用出力端子に対する、ヘッドフォンの入力端子の接続操作に連動して、スピーカ駆動スイッチ及びファン駆動スイッチをオフ操作すると共に、上記出力端子に対する、入力端子の遮断操作に連動して、上記両スイッチをオン操作する連動手段が備えられることもある。
更に、連動手段が、イ．スピーカ駆動スイッチを操作するスピーカ駆動スイッチ用連動手段と、ロ．ファン駆動スイッチを操作するファン駆動スイッチ用連動手段から成ることもある。
又、ファン駆動回路に、・  アンプの出力信号のレベルが設定レベル以上になった時にのみ、ファンへの給電を許容する信号レベル検出回路が備えられることもある。
【０００８】
【発明の実施の形態】
以下、本発明の比較例を図１の図面に基づき説明すると、左右の入力端子１Ｌ，１Ｒには、左右のパワーアンプ（低周波増幅器）２Ｌ，２Ｒ、開閉スイッチとされたスピーカ駆動スイッチ３Ｌ，３Ｒ、（ラウド）スピーカ４Ｌ，４Ｒが上記の順で接続されている。各アンプ２Ｌ，２Ｒは、パワートランジスタ等から構成され、各アンプ２Ｌ，２Ｒと各スピーカ駆動スイッチ３Ｌ，３Ｒの接続点には、それぞれ、抵抗２２Ｌ，２２Ｒを介して、ヘッドフォン用出力端子５Ｌ，５Ｒが接続され、これら出力端子５Ｌ，５Ｒ及びアース端子６等により、ヘッドフォン用ジャック（（被）接続部）７が構成されている。
【０００９】
９はヘッドフォンで、左右一対のスピーカ１０Ｌ，１０Ｒと、これらの入力端子１１Ｌ，１１Ｒ及びアース端子１２等を有し、これら端子１１Ｌ，１１Ｒ，１２等により、プラグ（接続部）１３が構成され、該プラグ１３がヘッドフォン用ジャック７に接続・分離自在とされることで、ヘッドフォン９の入力端子１１Ｌ，１１Ｒ及びアース端子１２が、ヘッドフォン用出力端子５Ｌ，５Ｒ及びアース端子６に対して断続自在とされている。
【００１０】
各アンプ２Ｌ，２Ｒと各スピーカ駆動スイッチ３Ｌ，３Ｒの接続点には、ファン駆動回路１５を介して、ファン１６が接続され、ファン１６はアンプ２Ｌ，２Ｒのヒートシンク８を冷却する。上記ファン駆動回路１５は、信号レベル検出回路１７と、ファン駆動スイッチ１８と、電源等を有する。
【００１１】
信号レベル検出回路１７は、アンプ２Ｌ，２Ｒの出力信号のレベルが設定レベル以上になった時にのみ、ファン１６への給電を許容するもので、下記のように構成されている。即ち、各アンプ２Ｌ，２Ｒと各スピーカ駆動スイッチ３Ｌ，３Ｒの接続点には、それぞれ、抵抗１９Ｌ，１９Ｒの一端部が接続されて、これら抵抗１９Ｌ，１９Ｒの他端部が接続されると共に、ダイオードＤ１を介して、（スイッチング）トランジスタＴ１のベースに接続されている。抵抗１９Ｌ，１９ＲとダイオードＤ１の接続点は、抵抗２０を介して、接地され、ダイオードＤ１とトランジスタＴ１の接続点は、並列に接続されたダイオードＤ２と電解コンデンサＣを介して、接地されている。トランジスＴ１のエミッタは接地され、そのコレクタには、抵抗２１を介して、正電圧（電源）＋Ｂが印加されている。トランジスタＴ１のコレクタと抵抗２１の接続点には、トランジスタＴ２のベースが接続されて、そのエミッタには、正電圧＋Ｂが印加され、又、そのコレクタには、ファン駆動スイッチ１８が接続されている。
【００１２】
ファン駆動スイッチ１８は開閉スイッチとされ、スピーカ駆動スイッチ３Ｌ，３Ｒと機械的に連動して、スピーカ駆動スイッチ３Ｌ，３Ｒのオン操作時に、ファン駆動スイッチ１８がオン操作され、スピーカ駆動スイッチ３Ｌ，３Ｒのオフ操作時に、ファン駆動スイッチ１８がオフ操作される。このように、スピーカ駆動スイッチ３Ｌ，３Ｒをオン・オフ操作するだけで、ファン駆動スイッチ１８を自動的にオン・オフ操作でき、操作が簡便である。
【００１３】
上記比較例によれば、スピーカ４Ｌ，４Ｒの使用によるオーディオ再生時には、スピーカ駆動スイッチ３Ｌ，３Ｒがオン操作され、これに連動して、ファン駆動スイッチ１８がオン操作される。又、ヘッドフォン９のプラグ１３はヘッドフォン用ジャック７から分離されて、ヘッドフォン９の入力端子１１Ｌ，１１Ｒとアース端子１２は、ヘッドフォン用出力端子５Ｌ，５Ｒとアース端子６に対して遮断（分離）状態とされている。
【００１４】
上記状態で、各入力端子１Ｌ，１Ｒに音響信号が入力されると、この音響信号がアンプ２Ｌ，２Ｒにより増幅され、スピーカ駆動スイッチ３Ｌ，３Ｒを介して、各スピーカ４Ｌ，４Ｒに供給されて、各スピーカ４Ｌ，４Ｒが駆動され、オーディオ再生が行われる。
【００１５】
ところで、各アンプ２Ｌ，２Ｒの出力信号のレベルは、信号レベル検出回路１７により、下記のようにして検出される。即ち、各アンプ２Ｌ，２Ｒの出力信号は、抵抗１９Ｌ，１９Ｒにより、設定されたレベルまで減衰された後、ダイオードＤ１，Ｄ２とコンデンサＣで直流に整流平滑されて、トランジスタＴ１のベースに入力される。そして、各アンプ２Ｌ，２Ｒの出力信号のレベルが設定レベル以下の場合には、トランジスタＴ１のベースに印加される電圧が設定電圧以下（例えば、０．６Ｖ以下）とされ、トランジスタＴ１がオフ状態とされて、次段のトランジスタＴ２もオフ状態とされ、ファン１６への給電が阻止される。
【００１６】
又、各アンプ２Ｌ，２Ｒの出力信号のレベルが設定レベル以上になると、トランジスタＴ１のベースに印加される電圧が設定電圧以上になり、トランジスタＴ１がオン状態となって、次段のトランジスタＴ２もオン状態となり、ファン１６への給電が許容される。そして、ファン駆動スイッチ１８がオン状態であるので、ファン１６に給電されて、ファン１６が回転駆動され、アンプ２Ｌ，２Ｒのヒートシンク８が冷却される。このように、ヒートシンク８をファン１６により冷却できるので、アンプ２Ｌ，２Ｒの出力を大としても、ヒートシンク８を小型化でき、オーディオ再生装置を小型化できる。
【００１７】
一方、ヘッドフォン９の使用によるオーディオ再生時には、ヘッドフォン９のプラグ１３がヘッドフォン用ジャック７に接続されて、ヘッドフォン９の各端子１１Ｌ，１１Ｒ，１２がヘッドフォン用出力端子５Ｌ，５Ｒとアース端子６に接続される。又、スピーカ駆動スイッチ３Ｌ，３Ｒがオフ操作され、これに連動して、ファン駆動スイッチ１８がオフ操作される。
【００１８】
上記状態で、各入力端子１Ｌ，１Ｒに音響信号が入力されると、この音響信号がアンプ２Ｌ，２Ｒにより増幅され、ヘッドフォン用ジャック７、ヘッドフォン用プラグ１３を介して、ヘッドフォン９の各スピーカ１０Ｌ，１０Ｒに供給されて、各スピーカ１０Ｌ，１０Ｒが駆動され、オーディオ再生が行われる。
【００１９】
ところで、ヘッドフォン９の使用時には、アンプ２Ｌ，２Ｒの出力信号のレベルが、スピーカ４Ｌ，４Ｒの使用によるオーディオ再生時と同じ場合でも、大きな直列抵抗２２Ｌ，２２Ｒを通して（介して）出力信号が再生されるため、アンプ２Ｌ，２Ｒの出力電流が上記再生時よりも小さく、アンプ２Ｌ，２Ｒの発熱は殆どないが、ときどき、上記出力信号のレベルが、信号レベル検出回路１７の設定レベル以上になることがあり、この場合には、信号レベル検出回路１７の各トランジスタＴ１，Ｔ２がオン状態となり、ファン１６への給電が許容される。しかし、上記のように、ファン駆動スイッチ１８がオフ状態であるので、ファン１６が駆動されず、静寂が破られることはない。
【００２０】
図２は本発明の実施の形態の一例を示し、ヘッドフォン用出力端子５Ｌ，５Ｒ及びアース端子６に対する、ヘッドフォン９の入力端子１１Ｌ，１１Ｒ及びアース端子１２の断続操作に連動して、スピーカ駆動スイッチ３Ｌ，３Ｒ及びファン駆動スイッチ１８をオン・オフ操作する連動手段２５が備えられている。このように、第２例では、ヘッドフォン９の入力端子１１Ｌ，１１Ｒ等の上記断続操作により、スピーカ駆動スイッチ３Ｌ，３Ｒ及びファン駆動スイッチ１８を自動的にオン・オフ操作でき、操作が簡便である。そして、第２例では、上記連動手段２５は、スピーカ駆動スイッチ用連動手段２６と、ファン駆動スイッチ用連動手段２７から構成されている。
【００２１】
スピーカ駆動スイッチ用連動手段２６は、ヘッドフォン用出力端子５Ｌ，５Ｒ等に対する、ヘッドフォン９の入力端子１１Ｌ，１１Ｒ等の接続操作に連動して、スピーカ駆動スイッチ３Ｌ，３Ｒをオフ操作すると共に、上記出力端子５Ｌ，５Ｒ等に対する、入力端子１１Ｌ，１１Ｒ等の遮断（接続の遮断、切断）操作により、スピーカ駆動スイッチ３Ｌ，３Ｒをオン操作するもので、具体的には、スピーカ駆動スイッチ３Ｌ，３Ｒが出力リレー２９のリレー接点とされ、出力リレー２９のリレーコイル３０の一端部に、正電圧＋Ｂが印加されている。又、ヘッドフォン用ジャック７には、連動用スイッチ３１が備えられて、該スイッチ３１は、接点３２と、連動部３３を有しており、リレーコイル３０の他端部が、上記接点３２を介して、接地されている。上記連動部３３は、ヘッドフォン用ジャック７に対する、ヘッドフォン９のプラグ１３の挿脱操作と連動して、接点３２を開閉するもので、ジャック７に対するプラグ１３の挿入時に、接点３２をオフ操作し、ジャック７からのプラグ１３の分離時に、接点３２をオン操作する。
【００２２】
ファン駆動スイッチ用連動手段２７は、ヘッドフォン用出力端子５Ｌ，５Ｒ等に対する、ヘッドフォン９の入力端子１１Ｌ，１１Ｒ等の接続操作に連動して、ファン駆動スイッチ１８をオフ操作すると共に、上記出力端子５Ｌ，５Ｒ等に対する、入力端子１１Ｌ，１１Ｒ等の遮断操作により、ファン駆動スイッチ１８をオン操作するもので、具体的には、ファン駆動スイッチ１８がヘッドフォン用ジャック７に備えられて、接点３４と、連動部３５を有し、接点３４がファン駆動回路１５に備えられている。連動部３５は、上記同様に、ヘッドフォン用ジャック７に対する、ヘッドフォン９のプラグ１３の挿脱操作と連動して、接点３４を開閉するもので、ジャック７に対するプラグ１３の挿入時に、接点３４をオフ操作し、ジャック７からのプラグ１３の分離時に、接点３４をオン操作する。
【００２３】
上記構成例によれば、スピーカ４Ｌ，４Ｒの使用によるオーディオ再生時には、ヘッドフォン９のプラグ１３がヘッドフォン用ジャック７から分離され、連動用スイッチ３１の接点３２がオン状態とされて、リレーコイル３０に給電され、スピーカ駆動スイッチ３Ｌ，３Ｒがオン状態とされると共に、ファン駆動スイッチ１８の接点３４もオン状態とされている。
【００２４】
この状態で、入力端子１Ｌ，１Ｒに音響信号が入力されると、スピーカ４Ｌ，４Ｒが駆動されて、オーディオ再生が行われると共に、アンプ２Ｌ，２Ｒの出力信号のレベルが、信号レベル検出回路１７の設定レベル以上になると、第１例と同様にして、ファン１６が回転駆動され、ヒートシンク８が冷却される。
【００２５】
又、ヘッドフォン９の使用によるオーディオ再生時には、ヘッドフォン９のプラグ１３がヘッドフォン用ジャック７に接続される。これにより、連動用スイッチ３１の連動部３３が作動し、接点３２がオフ操作されて、リレーコイル３０への給電が停止され、スピーカ駆動スイッチ３Ｌ，３Ｒがオフ操作されると共に、ファン駆動スイッチ１８の連動部３５も作動して、接点３４がオフ操作される。
【００２６】
この状態で、入力端子１Ｌ，１Ｒに音響信号が入力されると、ヘッドフォン９のスピーカ１０Ｌ，１０Ｒが駆動され、オーディオ再生が行われる。又、アンプ２Ｌ，２Ｒの出力信号のレベルが、信号レベル検出回路１７の設定レベル以上になると、ファン１６への給電が許容されるが、ファン駆動スイッチ１８の接点３４がオフ状態であるので、ファン１６が回転駆動されず、静寂が破られることはない。
【００２７】
【発明の効果】
以上詳述したように、本発明によれば、ヘッドフォンの使用時には、ファンが駆動されず、静寂が破られることはないと共に、ヘッドフォンの入力端子をヘッドフォン用出力端子に断続操作するだけで、スピーカ駆動スイッチ及びファン駆動スイッチを自動的にオン・オフ操作でき、操作が簡便である。
【００２８】
更に、請求項３によれば、スピーカ駆動時に、アンプの出力信号のレベルに応じて、ファンの駆動を制御でき、小音量再生時に、ファンの騒音が邪魔になる惧れはない。
【図面の簡単な説明】
【図１】  本発明の比較例を示す回路図である。
【図２】  本発明の実施の形態の一例を示す回路図である。
【符号の説明】
２Ｌ，２Ｒ  パワーアンプ
３Ｌ，３Ｒ  スピーカ駆動スイッチ
４Ｌ，４Ｒ  スピーカ
５Ｌ，５Ｒ  ヘッドフォン用出力端子
７  ヘッドフォン用ジャック
８  ヒートシンク
９  ヘッドフォン
１１Ｌ，１１Ｒ  入力端子
１３  プラグ
１５  ファン駆動回路
１６  ファン
１７  信号レベル検出回路
１８  ファン駆動スイッチ
２５  連動手段
２６  スピーカ駆動スイッチ用連動手段
２７  ファン駆動スイッチ用連動手段
【図１】
0004016451.tif 000002
【図２】
0004016451.tif 000003